(57)【要約】  本発明はシート使用の検出機能を備えた自動車シートの発泡部品に関する。この発泡部品１４は、シート面１１と、このシート面とは反対側にある下側１２とを含み、シートの使用を検出する多数のセンサ２が下側１２の領域に配置され、これらのセンサは、シート面１１に作用する重量を検出するために、いくつかの保持プロファイル２０を介して発泡部品１４に取り付けられている。本発明はさらに、そのような発泡部品１４を備えた自動車シートの製造方法と、発泡部品１４を備えた自動車シートと含む。【選択図】図１
2021509649.tif 000002
【特許請求の範囲】
【請求項１】
シート使用の検出機能を備えた自動車シートの発泡部品（１４）であって、この発泡部品（１４）は、シート面（１１）と、このシート面とは反対側にある下側（１２）とを含み、シートの使用を検出する多数のセンサ（２）が下側（１２）の領域に配置され、これらのセンサは、シート面（１１）に作用する重量を検出するために、いくつかの保持プロファイル（２０）を介して発泡部品（１４）に取り付けられていることを特徴とするシート使用の検出機能を備えた自動車シートの発泡部品。
【請求項２】
発泡部品（１４）は発泡したものであることを特徴とする請求項１記載のシート使用の検出機能を備えた自動車シートの発泡部品。
【請求項３】
シートの使用を検出する多数のセンサ（２）が、保持プレート（１８）に支持され、好ましくは固定されていることを特徴とする請求項１または２記載のシート使用の検出機能を備えた自動車シートの発泡部品。
【請求項４】
発泡部品（１４）がさらにワイヤーフレーム（１５）を含み、発泡部品（１４）はこのワイヤーフレーム（１５）に保持されていることを特徴とする請求項１から３までのいずれか１項記載のシート使用の検出機能を備えた自動車シートの発泡部品。
【請求項５】
シートの使用を検出する多数のセンサ（２）が、保持プレート（１８）を介して、ワイヤフレーム（１５）のワイヤ部分に保持されていることを特徴とする請求項４記載のシート使用の検出機能を備えた自動車シートの発泡部品。
【請求項６】
請求項１から５までのいずれか１項に記載の発泡部品（１４）を製造するための方法であって、次のステップを有することを特徴とするシート使用の検出機能を備えた自動車シートの発泡部品の製造方法。
ａ．発泡部品（１４）を製造するための発泡型の用意
ｂ．多数の保持プロファイル（２０）の用意
ｃ．前記発泡型における、シートの使用を検出する多数のセンサ（２）が配置されるべき位置の領域への、多数の保持プロファイル（２０）の挿入
ｄ．発泡形状への発泡部品（１４）の発泡および保持プロファイル（２０）の発泡
ｅ．発泡型からの発泡部品（１４）の取り出し
【請求項７】
さらに次のステップｆを有することを特徴とする請求項６記載のシート使用の検出機能を備えた自動車シートの発泡部品の製造方法。
ｆ．ワイヤフレーム（１５）の発泡型への挿入およびワイヤフレーム（１５）の周りでの発泡
【請求項８】
さらに次のステップｇを有することを特徴とする請求項７記載のシート使用の検出機能を備えた自動車シートの発泡部品の製造方法。
ｇ．シートの使用を検出する多数のセンサ（２）の用意および保持プロファイル（２０）へのセンサ（２）の固定
【請求項９】
さらに次のステップｈを有することを特徴とする請求項８記載のシート使用の検出機能を備えた自動車シートの発泡部品の製造方法。
ｈ．ワイヤフレーム（１５）へのセンサ（２）の追加的な固定
【請求項１０】
請求項１から５までのいずれか１項に記載のシートクッションを備えた、自動車シートであって、前記自動車シートは好ましくは後部座席であり、この自動車シートは自動車ボディに取り付けられた構造フレームも含み、発泡部品（１４）はワイヤフレーム（１５）を介して前記構造フレームに接続され、シートの使用を検出する多数のセンサ（２）がシートクッション（１）の下側に配置されていることを特徴とするシートクッションを備えた自動車シート。
【発明の詳細な説明】
【技術分野】
【０００１】
本発明は、シート使用の検出機能を備えた自動車シートの発泡部品およびその製造方法に関する。
【背景技術】
【０００２】
乗員保護の過程で、現在、多数のセンサが自動車の内部に設置されている。１つの目標は、車両の乗員の負傷のリスクを最小限に抑えることである。シートの使用を検出する圧力センサなどのセンサは、助手席だけでなく、２列目以降のシートにも使用されており、その信号からシートの使用に関する推定を導き出すことができる。車両の搭乗者の体重によって加えられる圧力に応答して、感圧スイッチが作動する。シートの使用を検出するセンサが、シートベルトを締めていない人がシートに座っていることを知らせると、すぐに、警告が発せられる。ここでの重要な点は、シートの使用を検出するセンサがシート表面に対して正確に位置決めされて配置されているため、信号は所定の圧力が作用したときにしか発せられないことにある。
【発明の概要】
【発明が解決しようとする課題】
【０００３】
本発明の目的は、自動車シートにおける乗員の存在が確実に検出されるような方法でシートの使用状況を検出する機能を備えた、自動車シートの発泡部品を開発することである。
【０００４】
本発明のさらなる態様においては、シートの使用を検出する機能を備えた自動車シートの発泡部品を安価かつ容易に製造する方法を開発することを目的とする。
【課題を解決するための手段】
【０００５】
この目的は、請求項１で規定された特徴によって達成される。本発明の発泡部品によって、シートの使用を検出するセンサと発泡体表面との間の所定の距離が得られる。発泡体表面は、自動車シートの座面側である。発泡体表面の反対側は、以下において底部と呼ぶ。シートの使用を検出する多数のセンサが、底部の領域または発泡部品における対応凹部に配置される。
【０００６】
シート使用の検出機能を備えた本発明による発泡部品の別の利点は、自動車シートを組み立てるときに構成部品の許容誤差が補償されることにある。自動車シートは、ワイヤフレームを備えた少なくとも１つの発泡部品と、ボディに取り付けられた構造フレームと、シートの使用を検出する多数のセンサ（以下、「センサ」と呼ぶ）とを備える。
【０００７】
本発明による方法は、シートの使用を検出する機能を備えた自動車シートの発泡部品を、簡単な方法ステップによって製造できるようにすることを特徴とする。発泡部品を発泡させるときに、多数のセンサのための保持要素を発泡させることができる。あるいは、保持要素は、発泡部品に接着することもできる。
【図面の簡単な説明】
【０００８】
【図１】シートの使用を検出するセンサを備えた、透明なシートクッションの３次元立体図である。
【図２】シートの使用を検出するセンサを備えたシートクッションの内側の詳細図である。
【図３】図２に示す部分を立体的に示す詳細図である。
【発明を実施するための形態】
【０００９】
本発明を、添付の図面を参照して、以下において例示的に説明する。
【００１０】
基本的に、自動車シートは、この自動車シートを保持して車体側に固定するための構造フレームと、構造フレームを覆う発泡部品すなわち発泡クッションと、発泡部品を覆うカバー部材とを、構成要素として含む。シートの使用を検出する機能を備えた自動車用シートの場合に、センサはシートの数に応じて下側の領域にも位置される。すなわち、自動車シートにおけるシート面とは反対側に配置される。
【００１１】
図１は、３つの座席（シート）１ａ、１ｂ、１ｃと、座席に割り当てられたセンサ２とを備えた、車両後部座席における透明なシートクッション１の３次元立体図を示す。シートクッション１は、シート１１と、シート１１の反対側の下側１２とを有する。シートクッション１は、通常、ワイヤフレーム１５を備えるとともに被覆材料で覆われた発泡部品１４すなわち発泡クッション１４を含む。発泡部品１４は、好ましくはポリウレタンまたは別の可撓性発泡体にて構成されており、ワイヤフレーム１５と一体的に成形されることができるか、そうでなければワイヤフレーム１５に取り付けることができる。自動車ボディに固定された構造フレームへの接続は、図示されていないが、ワイヤフレーム１５を介して行われる。ワイヤフレーム１５も完全には描かれていないが、センサ２の領域でのみ横方向の部材として描かれている。自動車シートの構造または自動車の第２列用のシート配置は既知であり、より詳細には説明しない。
【００１２】
一実施形態において、図２および図３は、発泡部品１４の下側１２の凹部１６の領域でのセンサ２の配置および固定の状況を示す。ワイヤフレーム１５のワイヤセクション１７は、凹部１６の縁側のＵ字形湾曲部分として存在することが分かる。ここで、ワイヤセクション１７は、２つの側方セクション１７ａと、側方セクションどうしを接続する接続セクション１７ｂとを備える。
【００１３】
図から分かるように、センサは保持プロファイル２０を介して保持される。保持プロファイルは、凹部１６の両側で発泡部品中に形成され、本質的にシート表面に平行に延びる。保持プロファイル２０は、好ましくはプラスチック材料で作られる。センサは、好ましくは、保持プレート１８を含み、保持プレート１８に固定され、ワイヤセクション１７間の凹部に受け入れられる。保持プロファイル２０は縁に溝を有し、保持プレート１８は、ガイド２１を介してこの縁に挿入することができる。もちろん、保持プロファイル２０と保持プレート１８との間の他の接続構造を提供することもできる。
【００１４】
センサ２はまた、保持プレート１８を介してワイヤセクション１７に固定される。好ましくはその箇所で側方セクション１７ａおよび接続セクション１７ｂにクリップ留めされる。圧力スイッチを備えた圧力センサが、センサとして用いられる。
図示されていない発泡部品１４の実施形態では、センサは、発泡された保持プロファイル２０を介してのみにより固定された状態で保持される。
【図１】
2021509649.tif 000003
【図２】
2021509649.tif 000004
【図３】
2021509649.tif 000005
【国際調査報告】
2021509649.tif 000006
2021509649.tif 000007
2021509649.tif 000008
2021509649.tif 000009